(57)【要約】  【課題】文書がクリアフォルダやカラーフィルムと重ねられる場合において、文書の内容が他人に認識されることを防ぐことができる画像処理装置を提供する。  【解決手段】画像処理装置１０上で動作する画像処理プログラム２００は、複数の色を記憶する色ＤＢ２０８と、色ＤＢ２０８に記憶されている複数の色から選択された色に基づいて、画像の構成要素の色として選択可能な色を制御する選択可能色制御部２１２と、選択可能色制御部２１２により制御された選択可能な色から選択された色に基づいて、画像の構成要素に対して色変換を行う色変換部２０４とを有する。選択可能色制御部２１２は、フィルム色として選択された色に基づいて文字色として選択可能な色を制御し、文字色として選択された色に基づいて背景色として選択可能な色を制御する。【選択図】図３
2008283328.tif 000002
【特許請求の範囲】
【請求項１】
複数の色を記憶する色記憶手段と、
前記色記憶手段に記憶されている複数の色から選択させる色を表示する第１の表示手段と、
前記第１の表示手段に表示される色から選択された色に基づいて、画像の構成要素の色として選択させる色を表示する第２の表示手段と、
画像の構成要素の色が前記第２の表示手段に表示される色から選択された色に変換された画像を生成する画像生成手段と
を有する画像処理装置。
【請求項２】
前記第２の表示手段は、前記色記憶手段に記憶されている複数の色のうち、前記第１の表示手段に表示される色から選択された色と同系色の色を表示する
請求項１に記載の画像処理装置。
【請求項３】
前記画像生成手段は、画像に含まれる文字が、前記第２の表示手段に表示される色から選択された色に変換された画像を生成する
請求項１又は２に記載の画像処理装置。
【請求項４】
前記第２の表示手段に表示される色から選択された色に基づいて、画像の構成要素の色として選択させる色を表示する第３の表示手段をさらに有する
請求項１乃至３のいずれかに記載の画像処理装置。
【請求項５】
前記第３の表示手段は、前記色記憶手段に記憶されている複数の色のうち、記第２の表示手段に表示される色から選択された色より淡い色を表示する
請求項４に記載の画像処理装置。
【請求項６】
前記画像生成手段は、画像の背景領域が、前記第３の表示手段に表示される色から選択された色に変換された画像を生成する
請求項４又は５に記載の画像処理装置。
【請求項７】
色が変換される領域の入力を受け付ける領域受付手段をさらに有し、
前記画像生成手段は、前記領域受付手段により受け付けられた領域において画像の構成要素の色が変換された画像を生成する
請求項１乃至６のいずれかに記載の画像処理装置。
【請求項８】
複数の色を記憶する色記憶手段と、
前記色記憶手段に記憶されている複数の色から選択させる色を表示する第１の表示手段と、
前記第１の表示手段に表示される色から選択された色に基づいて、画像の構成要素の色として選択させる色を表示する第２の表示手段と、
画像の構成要素の色が前記第２の表示手段に表示される色から選択された色に変換された画像を生成する画像生成手段と、
前記画像生成手段により生成された画像を印刷する画像印刷手段と
を有する画像形成装置。
【請求項９】
コンピュータを含む画像処理装置において、
複数の色から選択させる色を表示する第１の表示ステップと、
前記表示される色から選択された色に基づいて、画像の構成要素の色として選択させる色を表示する第２の表示ステップと、
画像の構成要素の色が前記第２の表示ステップにおいて表示される色から選択された色に変換された画像を生成する画像生成ステップと
を前記画像処理装置のコンピュータに実行させるプログラム。
【発明の詳細な説明】
【技術分野】
【０００１】
本発明は、画像処理装置、画像形成装置及びプログラムに関する。
【背景技術】
【０００２】
市役所、病院などにおいて、ＩＴ化と個人情報保護の観点で、文書のセキュリティ強化が必要となってきている。例えば市役所では、一般市民が共有して使えるパソコンやプリンタが設置されいる。このような環境では、個人が、必要な情報を選択して印刷でき、必要な手続きの帳票をパソコンを用いて印刷して窓口に提出する。不特定多数の人が利用する場所においては、他人に見られたくない印刷物又は文書の少なくとも一部だけは見られたくない印刷物が存在する。
【０００３】
特許文献１では、特殊な偏光フィルムを使い、一定の角度からしか文書の内容が読み取れなくすることにより、文書の一部を保護する器具が開示されている。
【０００４】
【特許文献１】特開２００６−０５３３５４号公報
【発明の開示】
【発明が解決しようとする課題】
【０００５】
しかしながら、特許文献１に開示された手法では、特殊な器具が必要であるので、コストが増大してしまう。
【０００６】
本発明は、文書がクリアフォルダやカラーフィルムと重ねられる場合において、文書の内容が他人に認識されることを防ぐことができる画像処理装置を提供することを目的とする。
【課題を解決するための手段】
【０００７】
上記目的を達成するために、本発明に係る画像処理装置は、複数の色を記憶する色記憶手段と、前記色記憶手段に記憶されている複数の色から選択させる色を表示する第１の表示手段と、前記第１の表示手段に表示される色から選択された色に基づいて、画像の構成要素の色として選択させる色を表示する第２の表示手段と、画像の構成要素の色が前記第２の表示手段に表示される色から選択された色に変換された画像を生成する画像生成手段とを有する。本発明によれば、文書がクリアフォルダやカラーフィルムと重ねられる場合において、文書の内容が他人に認識されることを防ぐことができる。
【０００８】
好適には、前記第２の表示手段は、前記色記憶手段に記憶されている複数の色のうち、前記第１の表示手段に表示される色から選択された色と同系色の色を表示する。本発明によれば、選択されたクリアフォルダ等の色に応じて、当該クリアフォルダ等と重ねられた場合に見えにくくなる色だけを選択することができる。
【０００９】
好適には、前記画像生成手段は、画像に含まれる文字が、前記第２の表示手段に表示される色から選択された色に変換された画像を生成する。本発明によれば、文書がクリアフォルダ等と重ねられた場合、文書に含まれる文字を見えにくくすることができる。
【００１０】
好適には、前記第２の表示手段に表示される色から選択された色に基づいて、画像の構成要素の色として選択させる色を表示する第３の表示手段をさらに有する。本発明によれば、文書の複数の構成要素のそれぞれの色を選択することができる。
【００１１】
好適には、前記第３の表示手段は、前記色記憶手段に記憶されている複数の色のうち、記第２の表示手段に表示される色から選択された色より淡い色を表示する。本発明によれば、選択されたクリアフォルダ等の色及び画像の構成要素の色に応じて、当該クリアフォルダ等と重ねられた場合にさらに見えにくくなる色だけを選択することができる。
【００１２】
好適には、前記画像生成手段は、画像の背景領域が、前記第３の表示手段に表示される色から選択された色に変換された画像を生成する。本発明によれば、文書がクリアフォルダやカラーフィルムと重ねられる場合において、文書の文字が他人に認識されることをさらに防ぐことができる。
【００１３】
好適には、色が変換される領域の入力を受け付ける領域受付手段をさらに有し、前記画像生成手段は、前記領域受付手段により受け付けられた領域において画像の構成要素の色が変換された画像を生成する。本発明によれば、文書がクリアフォルダやカラーフィルムと重ねられる場合において、文書の一部の領域が他人に認識されることを防ぐことができる。
【００１４】
また、本発明に係る画像形成装置は、複数の色を記憶する色記憶手段と、前記色記憶手段に記憶されている複数の色から選択させる色を表示する第１の表示手段と、前記第１の表示手段に表示される色から選択された色に基づいて、画像の構成要素の色として選択させる色を表示する第２の表示手段と、画像の構成要素の色が前記第２の表示手段に表示される色から選択された色に変換された画像を生成する画像生成手段と、前記画像生成手段により生成された画像を印刷する画像印刷手段とを有する。本発明によれば、印刷物がクリアフォルダやカラーフィルムと重ねられる場合において、印刷物の内容が他人に認識されることを防ぐことができる。
【００１５】
また、本発明に係るプログラムは、コンピュータを含む画像処理装置において、複数の色から選択させる色を表示する第１の表示ステップと、前記表示される色から選択された色に基づいて、画像の構成要素の色として選択させる色を表示する第２の表示ステップと、画像の構成要素の色が前記第２の表示ステップにおいて表示される色から選択された色に変換された画像を生成する画像生成ステップとを前記画像処理装置のコンピュータに実行させる。本発明によれば、文書がクリアフォルダやカラーフィルムと重ねられる場合において、文書の内容が他人に認識されることを防ぐことができる。
【発明の効果】
【００１６】
本発明によれば、文書がクリアフォルダやカラーフィルムと重ねられる場合において、文書の内容が他人に認識されることを防ぐことができる。
【発明を実施するための最良の形態】
【００１７】
まず、本発明の実施形態に係る画像処理装置により色変換処理が施された印刷物を説明する。
図１は、カラーのクリアフォルダに挟まれた印刷物を示す。
図１に示すように、印刷物は、例えば、市役所等において提出される申請書である。申請書には、申請者の住所、氏名及び電話を含む個人情報が印刷されている。図中の矢印Ａで示される領域には、本発明の実施形態に係る画像処理装置により色変換処理が施されている。例えば、当該領域は、個人情報が記載された領域である。
【００１８】
印刷物は、カラーのクリアフォルダに挟まれている。このようなクリアフォルダは、色付きであり、半透明で、透光性を有する。なお、印刷物は、カラーフィルムなど、色付きかつ半透明の素材と重ねて用いられてもよい。
【００１９】
図中の矢印Ａで示される領域において、文字の色は、クリアフォルダの色と同系色であり、文字の背景の色は、文字の色より淡い色である。例えば、クリアフォルダが黄色であり、印刷物の文字の色が茶色であり、背景の色が茶色より淡いオレンジ色である。
【００２０】
この場合、印刷物とクリアフォルダとが重なると、当該領域に含まれる文字は、クリアフォルダを通しては、認識されづらくなる。例えば、図中の矢印Ｂで示されるように、クリアファイルにより、文字は認識されず、文書の内容は把握されない。なお、背景の色は、クリアフォルダが重なっていない場合において文字を読める程度の色であればよい。
【００２１】
次に、本発明の実施形態に係る画像処理装置において用いられる画面を説明する。
図２は、本発明の実施形態に係る画像処理装置において表示される色設定画面３０を例示する。
図２に例示するように、色設定画面３０には、第１のフィルム色選択部３２、第２のフィルム色選択部３４、文字色選択部３６、背景色選択部３８、イメージ表示部４０、色変換領域選択部４２、色変換領域表示部４４、ＯＫボタン４６及びキャンセルボタン４８が含まれる。色設定画面３０は、例えば、プリンタドライバ等のソフトウェアにより、画像処理装置のディスプレイ又は画像形成装置の操作パネルなどに表示される。
【００２２】
色設定画面３０において、第１のフィルム色選択部３２は、カラーフィルム、クリアフォルダ等の色を選択するための選択手段である。使用者は、例えばマウスなどのポインティングデバイスを用いて、第１のフィルム色選択部３２から色を選択する。第２のフィルム色選択部３４は、クリアファイル等の色を選択するためのボタンである。第２のフィルム色選択部３４が選択されると、図示しない色設定画面が表示され、第１のフィルム色選択部３２に表示されている色より多くの色から色を選択することが可能となる。
【００２３】
文字色選択部３６は、印刷する文字の色を選択するためのボタンである。文字色選択部３６が選択されると、図示しない色設定画面が表示され、文字の色を選択することが可能となる。ここで、文字の色として選択可能な色は、第１のフィルム色選択部３２及び第２のフィルム色選択部３４のいずれかにより選択された色に基づいて決定される。具体的には、選択可能な色は、第１のフィルム色選択部３２及び第２のフィルム色選択部３４で選択可能な色より少ない。例えば、文字の色は、クリアファイル等の色として選択された色と同系色の色に限定される。
【００２４】
背景色選択部３８は、背景の色を選択するためのボタンである。背景色選択部３８が選択されると、図示しない色設定画面が表示され、背景の色を選択することが可能となる。ここで、背景の色として選択可能な色は、文字色選択部３６により選択された色に基づいて決定される。具体的には、選択可能な色は、文字色選択部３６で選択可能な色より少ない。例えば、背景の色は、文字の色として選択された色より淡い色に限定される。
【００２５】
イメージ表示部４０は、文字色選択部３６で選択された色と、背景色選択部３８で選択された色と基づいて、仕上がりイメージを表示する。具体的には、イメージ表示部４０には、所定の文字列が、選択された背景色の画像領域に、選択された文字色で表示される。
【００２６】
色変換領域選択部４２は、文字色選択部３６で選択された色と背景色選択部３８で選択された色と基づいて色変換が行われる領域の入力を受け付けるためのボタンである。色変換領域選択部４２が選択されると、図示しない色領域選択画面が表示され、例えばマウスなどを用いて、色変換処理が施される画像領域を指定することが可能となる。
【００２７】
色変換領域表示部４４は、色変換領域選択部４２で指定された、色変換処理が施される画像領域をプレビューとして表示する。例えば、色変換領域表示部４４では、図中の矢印Ｃで示されるように、当該画像領域が他の領域とは異なる色で表示される。
【００２８】
図３は、フィルム色として選択可能な色と、文字色として選択可能な色と、背景色として選択可能な色との関係を示す図である。
図３（Ａ）は、フィルム色として選択可能な色の範囲を示す図である。これらの色は、第１のフィルム色選択部３２及び第２のフィルム色選択部３４により表示される。したがって、第１のフィルム色選択部３２及び第２のフィルム色選択部３４は、記憶されている複数の色から選択させる色を表示する第１の表示手段を構成する。
【００２９】
図３（Ｂ）は、文字色として選択可能な色の範囲を示す図である。これらの色は、文字色選択部３６により表示される。図３（Ａ）及び図３（Ｂ）に示すように、例えば矢印Ｘにより示される色がフィルム色として選択された場合、文字色として選択可能な色は、フィルム色として選択可能な色の一部となる。したがって、文字色選択部３６は、第１のフィルム色選択部３２及び第２のフィルム色選択部３４の少なくともいずれかに表示される色から選択された色に基づいて、画像の構成要素の色として選択させる色を表示する第２の表示手段を構成する。
【００３０】
図３（Ｃ）は、背景色として選択可能な色の範囲を示す図である。これらの色は、背景色選択部３８により表示される。図３（Ｂ）及び図３（Ｃ）に示すように、例えば矢印Ｙにより示される色が文字色として選択された場合、背景色として選択可能な色は、文字色として選択可能な色の一部となる。したがって、背景色選択部３８は、文字色選択部３６に表示される色から選択された色に基づいて、画像の構成要素の色として選択させる色を表示する第３の表示手段を構成する。
【００３１】
このようにして、本発明の実施形態に係る画像処理装置は、複数の色から選択された色に基づいて、文字、背景等、画像の構成要素の色として選択可能な色を制御する。
以降、本発明の実施形態に係る画像処理装置を詳細に説明する。
【００３２】
図４は、本発明の実施形態に係る画像処理装置１０のハードウェア構成を示す図である。
図４に示すように、画像処理装置１０は、ＣＰＵ１２、メモリ１４、ハードディスク駆動装置等の記憶装置１６、ネットワークを介して外部の端末装置とデータの通信を行う通信装置１８、及びタッチパネル又は液晶ディスプレイ等の表示装置及びキーボード等の入力装置を含むユーザインタフェース（ＵＩ）装置２０を有する。これらの構成要素は、バス２２を介して互いに接続されている。
【００３３】
図５は、本発明の実施形態に係る画像処理装置１０上で動作する画像処理プログラム２００の機能構成を示す図である。
図５に示すように、画像処理プログラム２００は、画像データ受付部２０２、色変換部２０４、印刷データ生成部２０６、色データベース（ＤＢ）２０８、色選択制御部２１０、選択可能色制御部２１２及び領域受付部２１４を有する。画像処理プログラム２００は、画像処理装置１０のメモリ１４にロードされ、ＣＰＵ１２により実行される。画像処理プログラム２００は、例えば、プリンタドライバとして実現される。なお、画像処理プログラム２００の全部又は一部の機能は、画像処理装置１０に設けられたハードウェアにより実現されてもよい。
【００３４】
画像処理プログラム２００において、画像データ受付部２０２は、例えばワープロ、表計算、プレゼンテーション等のアプリケーションプログラムから画像データを受け付けて、色変換部２０４に対して出力する。なお、画像データ受付部２０２は、記憶装置１６又はメモリ１４に記憶されている画像データを読み出して、画像データを取得してもよい。
【００３５】
色変換部２０４は、後述する色選択制御部２１０により制御された選択可能な色から選択された色に基づいて、画像の構成要素に対して色変換を行う。色変換部２０４は、色変換後の画像データを印刷データ生成部２０６に対して出力する。
【００３６】
具体的には、色変換部２０４は、画像の構成要素を、色設定画面３０（図２）において選択された色に変換する。このため、色変換部２０４は、画像の構成要素が色設定画面に表示される色から選択された色に変換された画像を生成する画像生成手段を構成する。より具体的には、色変換部２０４は、画像に含まれる文字を、色設定画面３０の文字色選択部３６により表示される色から選択された色に変換する。
【００３７】
また、色変換部２０４は、画像の背景を、色設定画面３０の背景色選択部３８により表示される色から選択された色に変換する。また、色変換部２０４は、後述する領域受付部２１４から入力される画像領域において画像の構成要素の色が変換された画像を生成する。
【００３８】
印刷データ生成部２０６は、色変換された画像に基づいて印刷データを生成する。例えば、印刷データ生成部２０６は、所定のページ記述言語で記述された印刷データを生成する。なお、印刷データ生成部２０６は、印刷データを記憶装置１６に保存してもよいし、通信装置１８を介して外部の画像形成装置に対して送信してもよい。
【００３９】
色ＤＢ２０８は、複数の色を記憶する。より具体的には、色ＤＢ２０８は、フィルム色、文字色及び背景色として選択されうる色を記憶する。色ＤＢ２０８は、メモリ１４及び記憶装置１６の少なくともいずれかにより実現される。
【００４０】
選択可能色制御部２１２は、色ＤＢ２０８に記憶されている複数の色から選択された色に基づいて、画像の構成要素の色として選択可能な色を制御する。具体的には、選択可能色制御部２１２は、色ＤＢ２０８に記憶されている複数の色の一部を選択可能な色とする。
【００４１】
例えば、選択可能色制御部２１２は、色設定画面３０を介して選択されたフィルム色を後述する色選択制御部２１０から受け付け、当該フィルム色に基づいて、色ＤＢ２０８に記憶されている複数の色の一部を文字の色として選択可能な色とする。また例えば、選択可能色制御部２１２は、色設定画面３０を介して選択された文字の色を色選択制御部２１０から受け付け、文字の色として選択された色に基づいて、文字の色として選択可能な色の一部を背景の色として選択可能な色とする。
【００４２】
選択可能色制御部２１２は、色ＤＢ２０８に記憶されている複数の色のそれぞれについて、当該色と同系色の範囲を記憶している。例えば、選択可能色制御部２１２は、データベースとして同系色の色の範囲を保持している。同様に、選択可能色制御部２１２は、色ＤＢ２０８に記憶されている複数の色のそれぞれについて、当該色より淡い色の範囲を記憶している。なお、選択可能色制御部２１２は、選択された色の画素値（濃度値）に基づいて、同系色の範囲及び淡い色の範囲を算出してもよい。
【００４３】
色選択制御部２１０は、色設定画面３０をＵＩ装置２０に表示し、ＵＩ装置２０を介した入力を受け付ける。具体的には、色選択制御部２１０は、色設定画面３０において選択された色を選択可能色制御部２１２に対して出力し、当該色に基づいて制限された色の範囲を受け付け、色設定画面３０の文字色選択及び背景色選択に反映する。また、色選択制御部２１０は、選択された色を色変換部２０４に対して出力する。
【００４４】
領域受付部２１４は、色設定画面３０の色変換領域選択部４２を介して、色変換が行われる領域の入力を受け付ける。領域受付部２１４は、当該領域を色変換部２０４に対して出力する。また、領域受付部２１４は、当該領域を色選択制御部２１０に対して出力し、色選択制御部２１０は、当該領域を色変換領域表示部４４に反映する。
【００４５】
図６は、本発明の実施形態に係る画像処理装置１０の動作（Ｓ１０）を示すシーケンス図である。
図６に示すように、ステップ１００（Ｓ１００）において、画像処理装置１０上で動作する画像処理プログラム２００の色選択制御部２１０は、色設定画面３０（図２）をＵＩ装置２０に表示する。色設定画面３０では、第１のフィルム色選択部３２及び第２のフィルム色選択部３４は、色ＤＢ２０８に記憶されている複数の色から選択させる色を表示する。色選択制御部２１０は、第１のフィルム色選択部３２及び第２のフィルム色選択部３４に表示される色から選択されたフィルム色の入力を受け付ける。
【００４６】
ステップ１０２（Ｓ１０２）において、色選択制御部２１０は、選択されたフィルム色を選択可能色制御部２１２に対して出力する。選択可能色制御部２１２は、当該フィルム色に基づいて、色ＤＢ２０８に記憶されている複数の色の一部（例えば、同系色の色）を文字の色として選択可能な色とし、選択可能な色を色選択制御部２１０に対して出力する。
【００４７】
ステップ１０４（Ｓ１０４）において、色選択制御部２１０は、色設定画面３０の文字色選択部３６を介して文字色の入力を受け付ける。ここで、色設定画面３０では、文字色選択部３６は、フィルム色として選択された色に基づいて、文字色として選択させる色を表示し、色選択制御部２１０は、文字色選択部３６に表示される色から選択された文字色の入力を受け付ける。
【００４８】
ステップ１０６（Ｓ１０６）において、色選択制御部２１０は、選択された文字色を選択可能色制御部２１２に対して出力する。選択可能色制御部２１２は、当該文字色に基づいて、文字色として選択可能な色の一部（例えば、文字色より淡い色）を背景の色として選択可能な色とし、選択可能な色を色選択制御部２１０に対して出力する。
【００４９】
ステップ１０８（Ｓ１０８）において、色選択制御部２１０は、色設定画面３０の背景色選択部３８を介して文字色の入力を受け付ける。ここで、色設定画面３０では、背景色選択部３８は、文字色として選択された色に基づいて、背景色として選択させる色を表示し、色選択制御部２１０は、背景色選択部３８に表示される色から選択された背景色の入力を受け付ける。
【００５０】
ステップ１１０（Ｓ１１０）において、領域受付部２１４は、色設定画面３０の色変換領域選択部４２を介して、色変換が行われる領域の入力を受け付けて色変換部２０４に対して出力する。
ステップ１１２（Ｓ１１２）において、色選択制御部２１０は、色設定画面３０の色変換領域表示部４４に当該領域を表示する。また、色選択制御部２１０は、入力された文字色及び背景色に基づいて、色設定画面３０のイメージ表示部４０に仕上がりイメージを表示する。
【００５１】
ステップ１１４（Ｓ１１４）において、色設定画面３０のＯＫボタン４６が押下されると、色変換部２０４は、画像データ受付部２０２により受け付けられた画像の色変換の対象の領域に対して色変換処理を施して、当該領域の構成要素が色設定画面３０において選択された色に変換された画像を生成する。具体的には、色変換部２０４は、選択された文字色及び背景色を用いて文字及び背景の色を変換する。
【００５２】
ステップ１１６（Ｓ１１６）において、印刷データ生成部２０６は、色変換された画像に基づいて印刷データを生成する。印刷データは、画像形成装置に対して送信され、画像形成装置において、画像が用紙などの記録媒体に印刷される。
【００５３】
なお、Ｓ１１０の処理は、Ｓ１００〜Ｓ１０８の処理の前処理と行われてもよいし、これらの処理の間に行われてもよい。また、色の選択は、一度だけでなく、複数回行われてもよい。この場合、最終的に選択された色が、色変換処理に用いられる色となる。
【００５４】
また、画像処理プログラム２００（図５）は、画像形成装置において動作してもよい。画像形成装置は、図４に示されるハードウェア構成と同等の構成と、画像を印刷する例えばプリントエンジン等により実現される印刷装置とを有する。この場合、画像処理プログラム２００は、画像形成装置に含まれるＣＰＵ１２上で動作し、画像形成装置の例えばタッチパネルにより実現されるＵＩ装置２０に色設定画面３０（図２）を表示し、当該画面を介した入力を受け付け、画像処理を実行する。さらに、画像形成装置の印刷装置は、色変換された画像を記録媒体に印刷する。
【図面の簡単な説明】
【００５５】
【図１】カラーのクリアフォルダに挟まれた印刷物を示す。
【図２】本発明の実施形態に係る画像処理装置において表示される色設定画面３０を例示する。
【図３】フィルム色として選択可能な色と、文字色として選択可能な色と、背景色として選択可能な色との関係を示す図である。
【図４】本発明の実施形態に係る画像処理装置１０のハードウェア構成を示す図である。
【図５】本発明の実施形態に係る画像処理装置１０上で動作する画像処理プログラム２００の機能構成を示す図である。
【図６】本発明の実施形態に係る画像処理装置１０の動作（Ｓ１０）を示すシーケンス図である。
【符号の説明】
【００５６】
１０ 画像処理装置
３０ 色設定画面
３２ 第１のフィルム色選択部
３４ 第２のフィルム色選択部
３６ 文字色選択部
３８ 背景色選択部
４０ イメージ表示部
４２ 色変換領域選択部
４４ 色変換領域表示部
２００ 画像処理プログラム
２０２ 画像データ受付部
２０４ 色変換部
２０６ 印刷データ生成部
２０８  色ＤＢ
２１０ 色選択制御部
２１２ 選択可能色制御部
２１４ 領域受付部
【図１】
2008283328.tif 000003
【図２】
2008283328.tif 000004
【図３】
2008283328.tif 000005
【図４】
2008283328.tif 000006
【図５】
2008283328.tif 000007
【図６】
2008283328.tif 000008